(57)【要約】【課題】ノズル開閉時に発生する衝撃音やソレノイド通電時に発生する振動音を抑えることができる気化装置に関するものである。【解決手段】気化装置はソレノイドを固定する固定金具を具備し、この固定金具の材質をバネ材とするとともに、ソレノイドの外周に当接しバネ材の付勢力にてソレノイドを固定するように構成されるものである。したがって、ノズル開閉時に発生する衝撃音やソレノイド通電時に発生する振動音、さらには周辺部品の振動伝播音を抑えることができる。【選択図】図２
2005300050.tif 000002
【特許請求の範囲】
【請求項１】
ソレノイドによりノズルを開閉する気化装置において、前記ソレノイドを収容する収容体と、前記ソレノイドを前記収容体に固定する固定金具を具備し、前記固定金具の材質をバネ材としたことを特徴とする気化装置。
【請求項２】
請求項１記載の気化装置において、固定金具はソレノイドの外周に当接することを特徴とする気化装置。
【請求項３】
液体燃料を加熱気化する気化部と、該気化部と連通し、一方にノズルを有し、他方にソレノイドが装着される筒体と、前記ソレノイドを収容する収容体と、前記筒体を所定角度に固定するとともに一部が前記収容体の辺縁に掛止する固定金具を具備し、前記固定金具の材質をバネ材とするとともに、前記ソレノイドの外周に当接することを特徴とする気化装置。
【発明の詳細な説明】
【技術分野】
【０００１】
本発明は、液体燃料を気化し燃焼させる液体燃料燃焼機の気化装置に関するものである。
【背景技術】
【０００２】
従来の液体燃料燃焼機の気化装置５０は、図６に示すように液体燃料を加熱気化する気化部５１と、気化部５１と連通する筒体５２からなり、筒体５２はその両端にノズル５３とネジ部５４を有するとともに、大径管５５の端部を深絞りして正六面の多角形部５６を形成し、さらにノズル５３の開閉をおこなうバルブロッド５７と、このバルブロッド５７と連通する可動片５８を内設している。
【０００３】
さらに、５９は取付金具、６０は可動片５８の吸引用として筒体５２に装着されるソレノイドである。取付金具５９は、箱曲げによりソレノイド６０を収容する収容体６１が形成され、その鉛直壁に開口６２、ネジ部５４を貫通させる貫通孔６３および固定片６４が形成されている。また、６５は筒体５２を固定する筒体固定金具で、多角形部５６の二面幅に丁度はまる挿嵌部６６が形成されている。
【０００４】
したがって、気化装置５０の組立てでは、まずソレノイド６０を収容体６１にセットし、筒体５２を開口６２より挿入して、ネジ部５４が貫通孔６３を貫通後ネジ部５４にニゲパイプ６７を接続する。そして、挿嵌部６６を多角形部５６にはめ込み、筒体固定金具６５を固定片６４に螺着することによって、筒体５２の多角形部５６の対向する二面と筒体固定金具６５の挿嵌部６６とが密にはまり込み、筒体５２の回動を防止できるので、気化部５１は確実に所定角度に取付けられることになる。
【０００５】
【特許文献１】特許第３４５７４２９号公報
【発明の開示】
【発明が解決しようとする課題】
【０００６】
ところで、前述のような液体燃料燃焼機の気化装置では、ソレノイドに通電をおこないバルブロッドに連通する可動片を摺動してノズルの開閉を行っているが、この通電時にソレノイド自体が振動することがある。また、燃焼開始及び停止のノズル開閉時には可動片の摺動による衝撃音が発生する。これは、図７、図８に示すように、気化装置の組み立て時、ソレノイドを収容体にスムーズに装着できるように隙間（ａ寸法）を設けたり、筒体をソレノイドにスムーズに挿入できるように隙間（ｂ寸法）を設けているためである。
【０００７】
しかしながら、収容体の組み立て上の寸法ばらつきと、ソレノイド自体及び筒体の寸法ばらつきが大きくなると、この隙間（ａ寸法、ｂ寸法）は大きくなる。その結果、衝撃音やソレノイド自体の振動音はさらに大きくなり、燃焼機の外部にも、衝撃音やソレノイド自体の振動音だけでなく、周辺部品への振動伝播による振動伝播音が発生することになる。したがって、使用者は燃焼機が故障したと判断したり、衝撃音や振動音により不快感をもつという問題があった。
【０００８】
本発明は上記課題を解決するためのもので、ノズル開閉の際に発生する衝撃音やソレノイド通電時に発生する振動音、さらには周辺部品の振動伝播音を抑えることができる気化装置を提供することを目的とする。
【課題を解決するための手段】
【０００９】
請求項１の発明は、ソレノイドによりノズルを開閉する気化装置において、前記ソレノイドを収容する収容体と、前記ソレノイドを前記収容体に固定する固定金具を具備し、前記固定金具の材質をバネ材としたことを特徴とする気化装置に係るものである。
【００１０】
また、請求項１記載の気化装置において、固定金具はソレノイドの外周に当接することを特徴とする気化装置に係るものである。
【００１１】
また、液体燃料を加熱気化する気化部と、該気化部と連通し、一方にノズルを有し、他方にソレノイドが装着される筒体と、前記ソレノイドを収容する収容体と、前記筒体を所定角度に固定するとともに一部が前記収容体の辺縁に掛止する固定金具を具備し、前記固定金具の材質をバネ材とするとともに、前記ソレノイドの外周に当接することを特徴とする気化装置に係るものである。
【発明の効果】
【００１２】
本発明によれば、気化装置はソレノイドを固定する固定金具を具備し、この固定金具の材質をバネ材とするとともに、ソレノイドの外周に当接しバネ材の付勢力にてソレノイドを固定するから、ノズル開閉時に発生する衝撃音やソレノイド通電時に発生する振動音、さらには周辺部品の振動伝播音を抑えることができる気化装置となる。
【発明を実施するための最良の形態】
【００１３】
好適と考える本発明の最良の形態を、本発明の作用効果を示して簡単に説明する。
【００１４】
本発明に係る気化装置は、筒体を所定角度に固定するとともに一部が収容体の辺縁に掛止する固定金具を具備し、この固定金具の材質をバネ材とするとともに、ソレノイドの外周に当接しバネ材の付勢力にてソレノイドを固定するから、ノズル開閉時に発生する衝撃音やソレノイド通電時に発生する振動音、さらには周辺部品の振動伝播音を抑えることができる気化装置となる。
【実施例】
【００１５】
以下本発明の実施例を図により説明する。
【００１６】
図１より、液体燃料燃焼機の燃焼部は、液体燃料を気化する気化装置１、気化装置１から噴出された気化ガスを燃焼させるバーナ２、液体燃料を汲み上げて気化装置１へ供給するための電磁ポンプ３からなる。また、４はバーナ混合管で気化装置１からの気化ガスと一次空気を混合するためのものであり、５は点火装置、６はバーナ２の炎孔部である。
【００１７】
図２より、気化装置１は液体燃料を加熱気化する気化部７と、気化部７と連通する筒体８からなり、筒体８はその両端にノズル９とネジ部１０を有するとともに、大径管１１の端部を深絞りして正六面の多角形部１２を形成し、さらにノズル９の開閉をおこなうバルブロッド１３と、このバルブロッド１３と連通する可動片１４を内設している。
【００１８】
また、１５は取付金具、１６は可動片１４の吸引用として筒体８に装着されるソレノイドである。取付金具１５は、箱曲げによりソレノイド１６を収容する収容体１７が形成され、その鉛直壁に開口１８、ネジ部１０を貫通させる貫通孔１９および固定片２０が形成されている。
【００１９】
さらに、２１は筒体８とソレノイド１６を固定する固定金具で、多角形部１２の二面幅に丁度はまる挿嵌部２２が形成されているとともに、フランジ部２３が設けられ、このフランジ部２３の先端は内側に曲げられており、その面はテーパー状にカットされたテーパー部２５を備えている。
【００２０】
図３は気化装置１の断面図であるが、図より、固定金具２１をネジ２６により収容体１７の固定片２０に螺着することにより、フランジ部２３のテーパー部２５がソレノイド１６の外周に当接するようになっている。また、固定金具２１の材質はバネ材であり、本実施例ではＪＩＳ規格のＳＵＳ３０４−ＣＳＰ材を使用しているが、バネ材であればよく、本実施例に限定されるものではない。
【００２１】
したがって、気化装置１の組立てでは、ソレノイド１６を収容体１７にセットし、筒体８を開口１８より挿入し、ネジ部１０が貫通孔１９を貫通後ネジ部１０にニゲパイプ２４を接続する。そして、固定金具２１の挿嵌部２２を収容体１７の多角形部１２にはめ込み、固定金具２１をネジ２６により固定片２０に螺着する。
【００２２】
この時、図４に示すようにフランジ部２３（破線）は、ネジ２６を徐々に締め付けると、ソレノイド１６の外周に当接しながらテーパー部２５が下方に移動することになり、フランジ部２３の曲げ角度が押し広げられることになる（実線）。したがって、螺着後ソレノイド１６の外周には、固定金具２１のバネ材の付勢力（矢印）が常時加わることになり、ソレノイド１６を確実に固定することができるのである。また、図５に示すように筒体８の多角形部１２の対向する二面と挿嵌部２２とが密にはまり込み、筒体８の回動を防止できるので、気化部７は確実に所定角度に取付けられることになる。
【００２３】
次に、この液体燃料燃焼装置の動作を説明する。図示しない操作部の運転スイッチをオンすると気化装置１のヒータに通電がおこなわれ、ヒータの発熱により気化部７が加熱される。気化部７が液体燃料を気化し得る温度まで上昇すると電磁ポンプ３が始動する。これにより気化部７内に液体燃料が送油され、液体燃料は加熱気化して気化ガスとなり、筒体８のノズル９内に流入する。
【００２４】
また、電磁ポンプ３の始動に相前後してソレノイド１６に通電が行われるため可動片１４が摺動してバルブロッド１３がノズル９から離脱し、ノズル９内に流入した気化ガスはノズル９よりバーナ混合管４に噴出する。そして、この気化ガスの噴出力によってバーナ混合管４へ一次空気が供給され混合ガスとなり、この混合ガスを点火装置５によって着火させ、バーナ２の炎孔部６を介して燃焼するようになっている
【００２５】
ところで、燃焼開始時及び燃焼を継続する際に、ソレノイド１６に通電をおこないバルブロッド１３に連通する可動片１４を摺動してノズル９を開いているが、この通電時にソレノイド１６自体が振動する。しかし、ソレノイド１６の外周は、固定金具２１のバネ材の付勢力が常時加わって固定されているため、通電時のソレノイド１６の振動を確実に抑えることができる。さらに、ノズル９開閉のために可動片１４を摺動した際に発生する衝撃音も抑えることができる。
【００２６】
つまり、本実施例の気化装置１の固定金具２１は、筒体８を所定角度に固定するとともに、材質をバネ材とすることにより、このバネ材の付勢力によりソレノイド１６を固定しているから、ノズル９開閉時に発生する衝撃音やソレノイド通電時に発生する振動音、さらには周辺部品の振動伝播音を抑えることができるのである。したがって、使用者が燃焼機が故障したと判断したり、衝撃音や振動音により不快感をもつということはなくなるのである。
【図面の簡単な説明】
【００２７】
【図１】本実施例の燃焼部の構成図である。
【図２】本実施例の気化装置の分解図である。
【図３】本実施例の気化装置の断面図である。
【図４】本実施例の気化装置の固定金具取付け状態を示す上面である。
【図５】本実施例の気化装置の傾視図である。
【図６】従来例の気化装置の分解図である。
【図７】従来例の気化装置の正面図である。
【図８】従来例の気化装置の断面図である。
【符号の説明】
【００２８】
１    気化装置
７    気化部
８    筒体
９    ノズル
１６  ソレノイド
１７  収容体
２１  固定金具
【図１】
2005300050.tif 000003
【図２】
2005300050.tif 000004
【図３】
2005300050.tif 000005
【図４】
2005300050.tif 000006
【図５】
2005300050.tif 000007
【図６】
2005300050.tif 000008
【図７】
2005300050.tif 000009
【図８】
2005300050.tif 000010